(57)【特許請求の範囲】
【請求項１】
貯蔵物を冷却保存する貯蔵室と、冷気を生成する冷却器と、前記貯蔵室の背面から突出して左右方向の中央部に縦方向に延びて配されるとともに前記貯蔵室に冷気を吐出する吐出口を側面に開口する吐出通路と、前記貯蔵室の冷気が流出する戻り口を開口して冷気を前記冷却器に戻す戻り通路と、前記吐出通路の前面に配された熱良導体から成る部材とを備え、前記戻り口が前記貯蔵室の下部に配置されるとともに前記吐出口を前記戻り口の上方に配置し、前記戻り通路が前記吐出通路の前面に重なり、上方に向かって開口した前記戻り口を介して前記部材が前記戻り通路内に侵入することを特徴とする冷蔵庫。
【請求項２】
正面視において前記吐出通路の延長上に前記冷却器を配置したことを特徴とする請求項１に記載の冷蔵庫。
【発明の詳細な説明】
【技術分野】
【０００１】
本発明は、吐出口を開口する冷気の吐出通路を貯蔵室の背面に配した冷蔵庫に関する。
【背景技術】
【０００２】
従来の冷蔵庫は特許文献１に開示されている。この冷蔵庫は本体部の上部に冷凍室が配され、冷凍室の下方に断熱壁を介して冷蔵室が配される。冷凍室の背面には冷気通路が形成され、冷気通路内には冷却器が配される。冷気通路の前面には冷却器の上方に吐出口が開口する。冷蔵室の背面には冷気通路に連通する吐出通路が設けられる。吐出通路の前面には吐出口が開口する。
【０００３】
また、冷凍室と冷蔵室との間の断熱壁の上面前部には冷凍室に面した戻り口が開口し、下面前部には冷蔵室に面した戻り口が開口する。断熱壁の内部には各戻り口と冷却器の上流側の冷気通路とを連結する戻り通路がそれぞれ設けられる。
【０００４】
冷却器で生成された冷気は冷気通路を流通して吐出口から冷凍室に吐出される。冷凍室に吐出された冷気は冷凍室を流通し、冷凍室側の戻り通路を介して冷却器の上流側の冷気通路に戻される。これにより、冷凍室内が冷却される。冷気通路を流通する冷気の一部は吐出通路に流入し、吐出口から冷蔵室に冷気が吐出される。冷蔵室に吐出された冷気は冷凍室を流通し、冷蔵室側の戻り通路を介して冷却器の上流側の冷気通路に戻される。これにより、冷蔵室内が冷却される。
【先行技術文献】
【特許文献】
【０００５】
【特許文献１】特許第３８９２８１４号公報（第４頁−第８頁、第２図）
【発明の概要】
【発明が解決しようとする課題】
【０００６】
しかしながら、上記従来の冷蔵庫によると、冷蔵室の背面に配される吐出通路の前面に吐出口が開口するため、吐出口から前方に冷気が吐出される。これにより、冷蔵室内の貯蔵物に直接冷気が当たるため、貯蔵物が乾燥する問題があった。
【０００７】
本発明は、貯蔵物の乾燥を低減できる冷蔵庫を提供することを目的とする。
【課題を解決するための手段】
【０００８】
上記目的を達成するために本発明は、貯蔵物を冷却保存する貯蔵室と、冷気を生成する冷却器と、前記貯蔵室の背面から突出して左右方向の中央部に縦方向に延びて配されるとともに前記貯蔵室に冷気を吐出する吐出口を側面に開口する吐出通路と、前記貯蔵室の冷気が流出する戻り口を開口して冷気を前記冷却器に戻す戻り通路と、前記吐出通路の前面に配された熱良導体から成る部材とを備えたことを特徴としている。
【０００９】
この構成によると、冷却器で生成された冷気は貯蔵室の背面の中央部に突出した吐出通路を流通する。吐出通路を流通する冷気の冷熱は前面に配した熱良導体の部材に伝えられ、冷蔵室に供給される。吐出通路を流通する冷気は側面に開口した吐出口から貯蔵室内に吐出され、貯蔵室の背面及び側面に沿って流通する。貯蔵室を流通した冷気は戻り口から流出し、戻り通路を介して冷却器に戻される。貯蔵室の中央部の貯蔵物は部材から放出される冷熱によって冷却され、両側部の貯蔵物は貯蔵室の背面及び側面に沿って流通する冷気の冷熱により冷却される。
【００１０】
また本発明は、上記構成の冷蔵庫において、前記戻り口が前記貯蔵室の下部に配置され、前記吐出口を前記戻り口の上方に配置したことを特徴としている。この構成によると、吐出口から吐出された冷気が自重によって戻り口に導かれる。
【００１１】
また本発明は、上記構成の冷蔵庫において、前記戻り通路が前記吐出通路の前面に重なり、上方に向かって開口した前記戻り口を介して前記部材が前記戻り通路内に侵入することを特徴としている。この構成によると、戻り口を介して戻り通路に流入した冷気は部材の前面に沿って流通する。これにより、戻り通路を流通する冷気の冷熱が部材に伝えられて貯蔵室に放出される。
【００１２】
また本発明は、上記構成の冷蔵庫において、正面視において前記吐出通路の延長上に前記冷却器を配置したことを特徴としている。
【発明の効果】
【００１３】
本発明によると、貯蔵室の背面の中央部から突出した吐出通路の前面に熱良導体の部材が配され、側面に吐出口が設けられる。これにより、部材から冷熱が放出され、吐出口から吐出された冷気が貯蔵室の背面及び側面に沿って流通する。このため、貯蔵室内の貯蔵物は部材から放出される冷熱及び貯蔵室の背面及び側面に沿う冷気の冷熱によって冷却される。従って、貯蔵物に直接当たる冷気が減少し、貯蔵物の乾燥を低減することができる。
【図面の簡単な説明】
【００１４】
【図１】本発明の実施形態の冷蔵庫の内部を示す正面図
【図２】本発明の実施形態の冷蔵庫の内部を示す側面断面図
【図３】図１のＡ−Ａ断面図
【図４】図１のＢ−Ｂ断面図
【発明を実施するための形態】
【００１５】
以下に本発明の実施形態を図面を参照して説明する。図１、図２は一実施形態の冷蔵庫の内部を示す正面図及び側面断面図である。冷蔵庫１は断熱箱体２の上部に貯蔵物を冷蔵保存する冷蔵室３が配される。冷蔵室３の下方には貯蔵物を冷凍保存する冷凍室４が配される。冷蔵室３と冷凍室４とは断熱壁５によって仕切られる。
【００１６】
冷凍室４の背後には冷気通路１０が形成される。冷気通路１０の前面上部には吐出口１４、１５が開口し、冷気通路１０の下端には戻り口１６が開口する。冷気通路１０内には冷気を生成する冷却器１１が配される。冷却器１１の上方にはファン１２が配され、下方には除霜ヒータ１３が配される。ファン１２の駆動によって冷気通路１０を流通する空気と冷却器１１とが熱交換して冷気が生成される。また、除霜ヒータ１３の駆動によって冷却器１１が除霜される。
【００１７】
冷蔵室３の下部には仕切棚７で仕切られた隔離室８が形成される。隔離室８内には前後にスライドする収納ケース８ａが配される。冷蔵室３の両側壁３ｂには貯蔵物を載置するトレイ（不図示）が橋架される複数の設置部６が上下方向に並設される。
【００１８】
冷蔵室３の背後にはダンパ１８を介して冷気通路１０に連通する吐出通路２０が設けられる。吐出通路２０は冷蔵室３の左右方向の中央部に縦方向に延びて配され、冷蔵室３の背面板３ａに対して突出して形成される。また、正面視において吐出通路２０の延長上に冷却器１１が配置される。冷蔵室３の下部には上面に戻り口３１を開口した戻り通路３０が形成される。戻り通路３０は冷却器１１の上流側の冷気通路１０に連結される。
【００１９】
図３は図１のＡ−Ａ断面図を示している。冷蔵室３の背面板３ａ上には発泡スチロール等の断熱材により形成されたダクトパネル２１が配される。ダクトパネル２１は樹脂成形品の保持パネル２３により保持され、保持パネル２３に設けた係合爪（不図示）が背面板３ａに係合する。これにより、ダクトパネル２１が背面板３ａに取り付けられ、ダクトパネル２１の背面に凹設された溝によって吐出通路２０が形成される。ダクトパネル２１の側壁２１ａは吐出通路１０の側面を形成し、冷気の吐出口２４が開口する。
【００２０】
吐出口２４は各設置部６（図２参照）間にそれぞれ配される。これにより、トレイを所望の位置に設置した際にトレイによって仕切られた各区画内に冷気を吐出することができる。従って、トレイ上に載置された貯蔵物を確実に冷却することができる。尚、隔離室８（図１参照）には吐出口２４が設けられていない。
【００２１】
ダクトパネル２１の前面には金属（例えば、ステンレスやアルミニウム）等の熱良導体により形成された部材２２が配される。部材２２は保持パネル２３に設けた溝部２３ａに係合して取り付けられる。縦方向に延びた部材２２によって吐出通路２０の前面が覆われる。これにより、吐出通路２０を流通する冷気の冷熱がダクトパネル２１を介して部材２２に伝えられ、冷蔵室３に放出される。
【００２２】
図４は図１のＢ−Ｂ断面図を示している。戻り通路３０（図１参照）は吐出通路２０の下部の前面に重なり、隔離室８（図１参照）内に配される戻り口３１が上方に面して開口する。戻り口３１には異物の侵入を防止するためにグリル３１ａが形成される。また、部材２２は上方から戻り口３１を介して戻り通路３０内に侵入し、戻り通路３０を部材２２の前面に沿って流通する冷気と接触する。これにより、戻り通路３０を流通する冷気の冷熱が部材２２に伝えられる。
【００２３】
上記構成の冷蔵庫１において、ファン１２が駆動されると冷却器１１により生成された冷気は冷気通路１０を流通して吐出口１４、１５から冷凍室４の上部に吐出される。冷凍室４に吐出された冷気は冷凍室４内を流通し、下部の戻り口１６から流出して冷却器１１に戻される。これにより、冷凍室４内の貯蔵物が冷却される。
【００２４】
ダンパ１８が開かれると、冷気通路１０を流通する冷気の一部が吐出通路２０に導かれる。吐出通路２０を流通する冷気は側面に設けた吐出口２４から矢印Ｄ１（図３参照）に示すように側方に吐出される。吐出口２４から吐出された冷気は自重により降下しながら、冷蔵室３の背面板３ａに沿って左右方向に流通して冷蔵室３の側壁３ｂに沿って前方に流通する。
【００２５】
そして、該冷気は前方から隔離室８に流入し、収納ケース８ａの周囲を流通して矢印Ｄ２（図２参照）に示すように左右方向の中央部の戻り口３１から流出する。戻り口３１から流出した冷気は戻り通路３０を流通し、冷却器１１に戻される。
【００２６】
また、吐出通路２０及び戻り通路３０を流通する冷気の冷熱は部材２２に伝えられ、矢印Ｅ（図３参照）に示すように冷蔵室３内に放出される。
【００２７】
冷蔵室３内の左右方向の中央部に配された貯蔵物は部材２２から放出される冷熱によって冷却される。冷蔵室３内の両側部の貯蔵物は背面板３ａ及び側壁３ｂに沿って流通する冷気の冷熱により冷却される。これにより、貯蔵物を冷熱によって周囲から間接的に冷却することができる。
【００２８】
本実施形態によると、冷蔵室３の背面の中央部から突出した吐出通路２０の前面に熱良導体の部材２２が配され、側面に吐出口２４が設けられる。これにより、部材２２から冷熱が放出され、吐出口２４から吐出された冷気が冷蔵室３の背面及び側面に沿って流通する。このため、冷蔵室３内の貯蔵物は部材２２から放出される冷熱及び背面及び側面に沿う冷気の冷熱によって冷却される。従って、貯蔵物に直接当たる冷気が減少し、貯蔵物の乾燥を低減することができる。
【００２９】
また、吐出通路２０が左右方向の中央部に配されるため、吐出通路２０の水平断面の断面積を流量に応じて確保した際に水平断面のアスペクト比が１に近づけられる。これにより、吐出通路２０の圧力損失を低減して冷蔵庫１の省エネルギー化を図ることができる。
【００３０】
また、戻り口３１が冷蔵室３の下部に配置され、吐出口２４を戻り口３１の上方に配置したので、吐出口２４から吐出された冷気が自重によって戻り口３１に導かれる。従って、ファン１２の送風効率を向上させることができる。
【００３１】
また、戻り通路３０が吐出通路２０の前面に重なり、上方に向かって開口した戻り口３１を介して部材２２が戻り通路３０内に侵入するので、戻り通路３０を流通する冷気の冷熱が部材２２に伝えられて冷蔵室３に放出される。従って、冷蔵庫１の冷却効率をより向上することができる。
【００３２】
また、正面視において吐出通路２０の延長上に冷却器１１を配置したので、冷却器１１から冷気通路１０及び吐出通路２０を左右方向に屈曲させずに吐出口２４に冷気を導くことができる。従って、吐出通路２０の圧力損失をより低減することができる。
【産業上の利用可能性】
【００３３】
本発明によると、吐出口を開口する冷気の吐出通路を貯蔵室の背面に配した冷蔵庫に利用することができる。
【符号の説明】
【００３４】
１    冷蔵庫
２    断熱箱体
３    冷蔵室
３ａ  背面板
３ｂ  側壁
４    冷凍室
６    設置部
８    隔離室
１０    冷気通路
１１    冷却器
１２    ファン
１３    除霜ヒータ
１４、１５、２４  吐出口
１６、３１  戻り口
２０    吐出通路
２１    ダクトパネル
２２    部材
２３    保持パネル
３０    戻り通路
【図１】
0005175954.tif 000002
【図２】
0005175954.tif 000003
【図３】
0005175954.tif 000004
【図４】
0005175954.tif 000005